(57)【要約】【課題】無線通信システムのユーザー端においてアップリンク伝送チャネル構成を設定する方法及び装置を提供する。【解決手段】方法は、アップリンク伝送チャネル情報を受信するステップと、ユーザー端のアップリンク伝送チャネルが１本のＭＡＣ−ｄフローのみ含んだＥ−ＤＣＨ（エンハンスド専用チャネル）であれば、該Ｅ−ＤＣＨの構成を設定するステップからなる。【選択図】図３
2008104194.tif 000002
【特許請求の範囲】
【請求項１】
無線通信システムのユーザー端においてアップリンク伝送チャネル構成を設定する方法であって、
アップリンク伝送チャネル情報を受信するステップと、
ユーザー端のアップリンク伝送チャネルが１本のＭＡＣ−ｄフローのみ含んだＥ−ＤＣＨ（エンハンスド専用チャネル）であれば、該Ｅ−ＤＣＨの構成を設定するステップからなることを特徴とするアップリンク伝送チャネル構成の設定方法。
【請求項２】
前記アップリンク伝送チャネル情報は、アップリンク伝送チャネル追加・再構成情報（ａｄｄｅｄ  ｏｒ  ｒｅｃｏｎｆｉｇｕｒｅｄ  ＵＬ  ＴｒＣＨ  ｉｎｆｏｒｍａｔｉｏｎ）要素であることを特徴とする請求項１記載のアップリンク伝送チャネル構成の設定方法。
【請求項３】
前記Ｅ−ＤＣＨの構成設定はＥ−ＤＣＨのＴＴＩ（送信時間間隔）設定を含むことを特徴とする請求項１記載のアップリンク伝送チャネル構成の設定方法。
【請求項４】
前記Ｅ−ＤＣＨの構成設定はＥ−ＤＣＨのＨＡＲＱ（ハイブリッド自動リピート要求）情報設定を含むことを特徴とする請求項１記載のアップリンク伝送チャネル構成の設定方法。
【請求項５】
前記Ｅ−ＤＣＨの構成設定はＥ−ＤＣＨにおけるＭＡＣ−ｄフローの構成設定を含むことを特徴とする請求項１記載のアップリンク伝送チャネル構成の設定方法。
【請求項６】
前記Ｅ−ＤＣＨにおけるＭＡＣ−ｄフローの構成設定は、ユーザー端で受信したアップリンク伝送チャネル情報にＥ−ＤＣＨ  ＭＡＣ−ｄフローリスト情報要素が含まれた場合に、Ｅ−ＤＣＨにおけるＭＡＣ−ｄフローの構成を設定することを特徴とする請求項５記載のアップリンク伝送チャネル構成の設定方法。
【請求項７】
前記無線通信システムは、第三世代移動通信システムに設けられるＨＳＵＰＡ（高速アップリンクパケットアクセス）システムであることを特徴とする請求項１記載のアップリンク伝送チャネル構成の設定方法。
【請求項８】
無線通信システムにおいてアップリンク伝送チャネルの構成を正確に設定する通信装置であって、
通信装置の機能を実現する制御回路と、
制御回路の中に設けられ、プログラムコードを実行して制御回路を制御する中央処理装置（ＣＰＵ）と、
制御回路の中でＣＰＵと結合されるように設けられ、プログラムコードを記憶するための記憶装置とを含み、そのうちプログラムコードは、
アップリンク伝送チャネル情報を受信するステップと、
ユーザー端のアップリンク伝送チャネルが１本のＭＡＣ−ｄフローのみ含んだＥ−ＤＣＨであれば、該Ｅ−ＤＣＨの構成を設定するステップを含むことを特徴とする通信装置。
【請求項９】
前記アップリンク伝送チャネル情報は、アップリンク伝送チャネル追加・再構成情報要素であることを特徴とする請求項８記載の通信装置。
【請求項１０】
前記Ｅ−ＤＣＨの構成設定はＥ−ＤＣＨのＴＴＩ設定を含むことを特徴とする請求項８記載の通信装置。
【請求項１１】
前記Ｅ−ＤＣＨの構成設定はＥ−ＤＣＨのＨＡＲＱ情報設定を含むことを特徴とする請求項８記載の通信装置。
【請求項１２】
前記Ｅ−ＤＣＨの構成設定はＥ−ＤＣＨにおけるＭＡＣ−ｄフローの構成設定を含むことを特徴とする請求項８記載の通信装置。
【請求項１３】
前記Ｅ−ＤＣＨにおけるＭＡＣ−ｄフローの構成設定は、ユーザー端で受信したアップリンク伝送チャネル情報にＥ−ＤＣＨ  ＭＡＣ−ｄフローリスト情報要素が含まれた場合に、Ｅ−ＤＣＨにおけるＭＡＣ−ｄフローの構成を設定することを特徴とする請求項１２記載の通信装置。
【請求項１４】
前記無線通信システムは、第三世代移動通信システムに設けられるＨＳＵＰＡシステムであることを特徴とする請求項８記載の通信装置。
【請求項１５】
無線通信システムのユーザー端においてＥ−ＤＣＨを初期化する方法であって、
ユーザー端でアップリンク伝送チャネル追加・再構成情報に基づいてＥ−ＤＣＨ構成を設定するとき、当該Ｅ−ＤＣＨに１本のＭＡＣ−ｄフローのみ含まれた場合、同Ｅ−ＤＣＨ構成の初期化を継続するステップを含むことを特徴とするＥ−ＤＣＨ初期化方法。
【請求項１６】
前記Ｅ−ＤＣＨ構成の初期化は、Ｅ−ＤＣＨのＨＡＲＱ情報やＴＴＩ、Ｅ−ＤＣＨにおけるＭＡＣ−ｄフロー構成の設定を含むことを特徴とする請求項１５記載のＥ−ＤＣＨ初期化方法。
【請求項１７】
前記無線通信システムは第三世代移動通信システムに設けられるＨＳＵＰＡシステムであることを特徴とする請求項１５記載のＥ−ＤＣＨ初期化方法。
【請求項１８】
無線通信システムにおいてＥ−ＤＣＨを正確に初期化する通信装置であって、
通信装置の機能を実現する制御回路と、
制御回路の中に設けられ、プログラムコードを実行して制御回路を制御するＣＰＵと、
制御回路の中でＣＰＵと結合されるように設けられ、プログラムコードを記憶するための記憶装置とを含み、そのうちプログラムコードは、
ユーザー端でアップリンク伝送チャネル追加・再構成情報に基づいてＥ−ＤＣＨ構成を設定するとき、当該Ｅ−ＤＣＨに１本のＭＡＣ−ｄフローのみ含まれた場合、同Ｅ−ＤＣＨ構成の初期化を継続するステップを含むことを特徴とする通信装置。
【請求項１９】
前記Ｅ−ＤＣＨ構成の初期化は、Ｅ−ＤＣＨのＨＡＲＱ情報やＴＴＩ、Ｅ−ＤＣＨにおけるＭＡＣ−ｄフロー構成の設定を含むことを特徴とする請求項１８記載の通信装置。
【請求項２０】
前記無線通信システムは第三世代移動通信システムに設けられるＨＳＵＰＡシステムであることを特徴とする請求項１８記載の通信装置。
【発明の詳細な説明】
【技術分野】
【０００１】
本発明は無線通信システムにおいてアップリンク伝送チャネル構成を設定する方法及び装置に関し、特に無線通信システムのユーザー端においてＥ−ＤＣＨ（エンハンスド専用チャネル）構成を設定してシステム性能を向上させる方法及び関連の通信装置に関する。
【背景技術】
【０００２】
第三世代移動通信技術はＷＣＤＭＡ（広帯域符号分割多元接続）方式で高いスペクトル利用効率、カバー率、通話品質及び高速伝送を実現するとともに、ＱｏＳ（サービス品質）の確保、柔軟性のある双方向通信の実現、通話中断率の低減を可能にする。第三世代移動通信システムでは、ＵＥ（ユーザー装置、例えば携帯電話）で映像通話、電話会議、ゲーム、オンライン音楽再生、及び電子メールを楽しむことが可能である。高速かつ実時間の情報伝送に頼るこれらの機能を実現させるためには、第三世代移動通信テクノロジーについてＨＳＤＰＡ（高速ダウンリンクパケットアクセス）とＨＳＵＰＡ（高速アップリンクパケットアクセス）規格が規定されている。両規格は、帯域の使用率とパケットの処理効率の向上、上り・下り伝送速度の改善に役立つ。
【０００３】
上記ＨＳＵＰＡ規格は、システムのアップリンクネットワーク性能を向上させ、誤送データをすばやく再送して遅延を解消し、チャンネル品質の良否によって伝送速度を調節することができる。このような制御機能を実現するため、ＨＳＵＰＡ規格には基地局（ノードＢ）スケジューリング、ＨＡＲＱ（ハイブリッド自動リピート要求）、ソフトハンドオーバー、ショートフレーム伝送などの技術が利用され、そのパケットアクセス制御についてはＥ−ＤＣＨ（エンハンスド専用チャンネル）が３ＧＰＰにより規定されている。Ｅ−ＤＣＨには、ＨＡＲＱ  ＡＣＫ／ＮＡＣＫ情報、アップリンクスケジューリング情報、制御プレーン情報、及びユーザープレーン情報を伝送する物理層チャネルＥ−ＨＩＣＨ、Ｅ−ＲＧＣＨ、Ｅ−ＡＧＣＨ、Ｅ−ＤＰＣＣＨ、Ｅ−ＤＰＤＣＨが新しく導入された。その詳しい定義については３ＧＰＰによるＭＡＣ（媒体アクセス制御）プロトコル仕様を参照する。
【０００４】
ＨＳＵＰＡ規格によれば、ネットワーク端ではアップリンク伝送チャネル追加・再構成（ａｄｄｅｄ  ｏｒ  ｒｅｃｏｎｆｉｇｕｒｅｄ  ＵＬ  ＴｒＣＨ  ｉｎｆｏｒｍａｔｉｏｎ）という情報要素を用いてユーザー端のＥ−ＤＣＨの送信時間間隔（ＴＴＩ）とＨＡＲＱ情報を設定し、同時に当該情報要素に含まれたＥ−ＤＣＨ  ＭＡＣ−ｄフローリスト追加・再構成（ａｄｄｅｄ  ｏｒ  ｒｅｃｏｎｆｉｇｕｒｅｄ  Ｅ−ＤＣＨ  ＭＡＣ−ｄ  ｆｌｏｗ  ｌｉｓｔ）という情報要素を用いてＥ−ＤＣＨに１本または複数のＭＡＣ−ｄフローを追加し、またはＥ−ＤＣＨで搬送されるＭＡＣ−ｄフローを再構成する。以下は、アップリンク伝送チャネル追加・再構成という情報要素の受信後、ユーザー端の動作方式について略述する。
【０００５】
ユーザー端で上記アップリンク伝送チャネル追加・再構成情報要素を受信すると、ユーザー端で使用中のアップリンク伝送チャネルがＥ−ＤＣＨであって、かつその中のＭＡＣ−ｄフローが１本より多ければ、当該情報要素の内容に基づいてＥ−ＤＣＨのＴＴＩとＨＡＲＱ情報を設定する。当該情報要素に上記Ｅ−ＤＣＨ  ＭＡＣ−ｄフローリスト追加・再構成情報要素が含まれていれば、ユーザー端で当該Ｅ−ＤＣＨ  ＭＡＣ−ｄフローリスト追加・再構成情報要素に基づいて、Ｅ−ＤＣＨの中の  ＭＡＣ−ｄフロー構成を設定するか、または１本かそれ以上のＭＡＣ−ｄフローをＥ−ＤＣＨに追加する。
【０００６】
以上のとおり、従来の技術では、Ｅ−ＤＣＨで１本以上のＭＡＣ−ｄフローを搬送する場合にのみＥ−ＤＣＨ構成を設定するため、ユーザー端のＥ−ＤＣＨに１本のＭＡＣ−ｄフローしか存在しない場合では、ユーザー端で受信したアップリンク伝送チャネル追加・再構成情報要素に基づいてＥ−ＤＣＨのＴＴＩとＨＡＲＱ情報を設定することができない。しかし、Ｅ−ＤＣＨのＴＴＩとＨＡＲＱ情報を変更するには他に方法がない。またこの場合では、Ｅ−ＤＣＨで運ばれるたった１本のＭＡＣ−ｄフローも構成を再設定できない。
【発明の開示】
【発明が解決しようとする課題】
【０００７】
本発明は上記従来の問題を解決するため、無線通信システムのユーザー端においてアップリンク伝送チャネル構成を設定する方法及び装置を提供することを課題とする。
【課題を解決するための手段】
【０００８】
本発明は、無線通信システムのユーザー端においてアップリンク伝送チャネル構成を設定する方法を提供する。該方法は、アップリンク伝送チャネル情報を受信するステップと、ユーザー端のアップリンク伝送チャネルが１本のＭＡＣ−ｄフローのみ含んだＥ−ＤＣＨ（エンハンスド専用チャネル）であれば、該Ｅ−ＤＣＨの構成を設定するステップからなる。
【０００９】
本発明は更に、無線通信システムにおいてアップリンク伝送チャネルの構成を正確に設定する通信装置を提供する。該通信装置は、通信装置の機能を実現する制御回路と、制御回路の中に設けられ、プログラムコードを実行して制御回路を制御する中央処理装置（ＣＰＵ）と、制御回路の中でＣＰＵと結合されるように設けられ、プログラムコードを記憶するための記憶装置とを含む。該プログラムコードは、アップリンク伝送チャネル情報を受信するステップと、ユーザー端のアップリンク伝送チャネルが１本のＭＡＣ−ｄフローのみ含んだＥ−ＤＣＨであれば、該Ｅ−ＤＣＨの構成を設定するステップを含む。
【００１０】
本発明は更に、無線通信システムのユーザー端においてＥ−ＤＣＨを初期化する方法を提供する。該方法は、ユーザー端でアップリンク伝送チャネル追加・再構成情報に基づいてＥ−ＤＣＨ構成を設定するとき、当該Ｅ−ＤＣＨに１本のＭＡＣ−ｄフローのみ含まれた場合、同Ｅ−ＤＣＨ構成の初期化を継続するステップを含む。
【００１１】
本発明は更に、無線通信システムにおいてＥ−ＤＣＨを正確に初期化する通信装置を提供する。該通信装置は、通信装置の機能を実現する制御回路と、制御回路の中に設けられ、プログラムコードを実行して制御回路を制御するＣＰＵと、制御回路の中でＣＰＵと結合されるように設けられ、プログラムコードを記憶するための記憶装置とを含む。該プログラムコードは、ユーザー端でアップリンク伝送チャネル追加・再構成情報に基づいてＥ−ＤＣＨ構成を設定するとき、当該Ｅ−ＤＣＨに１本のＭＡＣ−ｄフローのみ含まれた場合、同Ｅ−ＤＣＨ構成の初期化を継続するステップを含む。
【発明の効果】
【００１２】
本発明は、Ｅ−ＤＣＨが１本のＭＡＣ−ｄフローのみ含んだ場合にＥ−ＤＣＨ構成を設定（例えばＥ−ＤＣＨのＴＴＩとＨＡＲＱ情報の変更や、Ｅ−ＤＣＨにおけるＭＡＣ−ｄフローの再構成）できないという従来の技術の欠点を改善したため、アップリンク伝送チャネルとしてＥ−ＤＣＨを利用するユーザー端にとって、本発明はアップリンク伝送チャネルの構成を設定し、システム機能を向上させる効果がある。
【発明を実施するための最良の形態】
【００１３】
かかる方法及び装置の特徴を詳述するために、具体的な実施例を挙げ、図示を参照して以下に説明する。
【００１４】
図１を参照する。図１は無線通信システムの無線通信装置１００のブロック図である。説明を簡素化するため、図１では無線通信装置１００の入力装置１０２、出力装置１０４、制御回路１０６、ＣＰＵ（中央処理装置）１０８、保存装置１１０、プログラムコード１１２及びトランシーバー１１４のみ描かれている。無線通信装置１００では、制御回路１０６でＣＰＵ１０８を介して保存装置１１０に保存されたプログラムコード１１２を実行し、無線通信装置１００の動作を制御する。制御回路１０６は入力装置１０２（例えばキーボード）を介してユーザーが入力した信号を受信し、出力装置１０４（スクリーン、スピーカーなど）を介して映像、音声などの信号を出力する。無線信号を受発信するトランシーバー１１４は受信した信号を制御回路１０６に送信し、または制御回路１０６による信号を無線で出力する。言い換えれば、通信プロトコルの構造から見れば、トランシーバー１１４は第一層の一部とみなしてよく、制御回路１０６は第二層と第三層の機能を実現するものである。無線通信装置１００は望ましくは、第三世代移動通信システムに設けられたＨＳＵＰＡシステムである。
【００１５】
図２を参照する。図２は図１に示すプログラムコード１１２を表す説明図である。プログラムコード１１２はアプリケーション層２００と、第三層インターフェイス２０２と、第二層インターフェイス２０６を備え、第一層インターフェイス２１８と接続されている。第二層インターフェイス２０６は副層としてＲＬＣ（無線リンク制御）エンティティー２２４とＭＡＣ（媒体アクセス制御）エンティティー２２６を含む。ＲＬＣエンティティー２２４は伝送品質によって伝送データや制御指令に対して、分割、再組み立て、連結、パディング、再送、暗号化、シーケンスチェック、重複検出など処理を行う。ＭＡＣエンティティー２２６は第三層インターフェイス（ＲＲＣ層、無線資源制御層）２０２の無線資源配分指令に従って、ＲＬＣエンティティー２２４から別々の論理チャンネルに属するパケットを一般、共通または専用チャンネルに対応させ、チャンネルマッピング、マルチプレクシング、伝送形式選択、ランダムアクセス制御などのプロセスを実行する。
【実施例１】
【００１６】
ＨＳＵＰＡ規格の応用例では、ＭＡＣエンティティー２２６はネットワーク端から出力されたアップリンク伝送チャネル情報に基づいて、アップリンク伝送チャネルの構成を設定する。それに鑑みて、本発明はアップリンク伝送チャネルの構成を正確に設定し、システム性能を向上させるために、アップリンク伝送チャネル構成設定プログラムコード２２０を提供する。図３を参照する。図３は本発明の実施例１による方法３０のフローチャートである。下記方法３０は無線通信システムのユーザー端においてアップリンク伝送チャネルの構成設定に用いられ、アップリンク伝送チャネル構成設定プログラムコード２２０としてコンパイルすることができる。
ステップ３００：開始。
【００１７】
ステップ３０２：アップリンク伝送チャネル追加・再構成（ａｄｄｅｄ  ｏｒ  ｒｅｃｏｎｆｉｇｕｒｅｄ  ＵＬ  ＴｒＣＨ  ｉｎｆｏｒｍａｔｉｏｎ）情報要素を受信する。
【００１８】
ステップ３０４：アップリンク伝送チャネルが１本のＭＡＣ−ｄフローのみ有するＥ−ＤＣＨであれば、上記アップリンク伝送チャネル追加・再構成情報要素に基づいてＥ−ＤＣＨ構成を設定する。
【００１９】
ステップ３０６：終了。
以上のとおり、アップリンク伝送チャネル追加・再構成情報要素を受信するに当たって、アップリンク伝送チャネルが１本のＭＡＣ−ｄフローのみ有するＥ−ＤＣＨであれば、実施例１では、受信したアップリンク伝送チャネル追加・再構成情報要素に基づいてＥ−ＤＣＨ構成を設定する。Ｅ−ＤＣＨの構成設定とはＴＴＩとＨＡＲＱ情報の設定を含む。また、ユーザー端で受信したアップリンク伝送チャネル追加・再構成情報要素にはＥ−ＤＣＨ  ＭＡＣ−ｄフローリスト追加・再構成情報要素が含まれれば、実施例１では当該Ｅ−ＤＣＨ  ＭＡＣ−ｄフローリスト追加・再構成情報要素に基づいてＥ−ＤＣＨで運ばれるＭＡＣ−ｄフローの構成を設定するか、または１本かそれ以上のＭＡＣ−ｄフローをＥ−ＤＣＨに追加する。
【００２０】
言い換えれば、ユーザー端でアップリンク伝送チャネル追加・再構成情報要素を受信したとき、ユーザー端のアップリンク伝送チャネルとしてＥ−ＤＣＨが利用された場合、実施例１では当該情報要素の内容に基づいてＥ−ＤＣＨ構成を変更する。ユーザー端のＥ−ＤＣＨに１本のＭＡＣ−ｄフローしか含まれていない場合でも、本発明はアップリンク伝送チャネル追加・再構成情報要素に基づいてＥ−ＤＣＨのＴＴＩとＨＡＲＱ情報を変更するか、または更に同情報要素に含まれたＥ−ＤＣＨ  ＭＡＣ−ｄフローリスト追加・再構成情報要素に基づいてＥ−ＤＣＨにおけるたった１本の  ＭＡＣ−ｄフローを再構成し、１本かそれ以上のＭＡＣ−ｄフローをＥ−ＤＣＨに追加することができる。
【実施例２】
【００２１】
図４を参照する。図４は本発明の実施例２による方法４０のフローチャートである。下記方法４０は無線通信システムのユーザー端においてＥ−ＤＣＨの初期化に用いられ、アップリンク伝送チャネル構成設定プログラムコード２２０としてコンパイルすることができる。
ステップ４００：開始。
【００２２】
ステップ４０２：アップリンク伝送チャネル追加・再構成情報要素を受信する。
【００２３】
ステップ４０４：ユーザー端でアップリンク伝送チャネル追加・再構成情報要素に基づいてＥ−ＤＣＨ構成を初期化するとき、Ｅ−ＤＣＨに１本のＭＡＣ−ｄフローのみ含まれていれば、Ｅ−ＤＣＨ構成の初期化を継続する。
【００２４】
ステップ４０６：終了。
以上のとおり、ユーザー端で使用された本来のアップリンク伝送チャネルがＥ−ＤＣＨではない場合、アップリンク伝送チャネル追加・再構成情報要素を受信すると、本発明では同情報要素に基づいて当該Ｅ−ＤＣＨ構成を初期化し、すなわち当該Ｅ−ＤＣＨに１本のＭＡＣ−ｄフローのみ含ませる。言い換えれば、ユーザー端で使用される本来のアップリンク伝送チャネルがＥ−ＤＣＨではない（例えばＤＣＨ（専用伝送チャネル）やＵＳＣＨ（アップリンク共用チャネル））場合、受信したアップリンク伝送チャネル追加・再構成情報要素が使用中のチャネルＥ−ＤＣＨに切り替えるようにユーザー端に通報し、すなわち当該Ｅ−ＤＣＨを１本のＭＡＣ−ｄフローにのみ対応させても、本発明では同情報要素に基づいてＥ−ＤＣＨ構成を設定し、例えば当該Ｅ−ＤＣＨのＨＡＲＱ情報やＴＴＩ、ＭＡＣ−ｄフローの構成などを設定することができる。２本以上のＭＡＣ−ｄフローがある場合にのみＥ−ＤＣＨを初期化する従来の技術と比べて、本発明ではＥ−ＤＣＨが１本のＭＡＣ−ｄフローにのみ対応した場合でもＥ−ＤＣＨ構成を初期化することができる。
【００２５】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００２６】
本発明は従来の動作条件を変えたのみであり、当然実施可能である。
【図面の簡単な説明】
【００２７】
【図１】無線通信システムの無線通信装置のブロック図である。
【図２】図１に示すプログラムコードを表す説明図である。
【図３】本発明の実施例１による方法のフローチャートである。
【図４】本発明の実施例２による方法のフローチャートである。
【符号の説明】
【００２８】
１００      無線通信装置
１０２      入力装置
１０４      出力装置
１０６      制御回路
１０８      ＣＰＵ
１１０      保存装置
１１２      プログラムコード
１１４      トランシーバー
２００      アプリケーション層
２０２      第三層
２０６      第二層
２１８      第一層
２２０      アップリンク伝送チャネル構成設定プログラムコード
２２４      ＲＬＣエンティティー
２２６      ＭＡＣエンティティー
【図１】
2008104194.tif 000003
【図２】
2008104194.tif 000004
【図３】
2008104194.tif 000005
【図４】
2008104194.tif 000006